(57)【特許請求の範囲】
【請求項１】
支持脚と、
略水平状態をなす使用位置と起立状態をなす折畳位置の範囲内で、前記支持脚に対して回動可能に組み付けられた天板と、
前記支持脚と前記天板の間に設けられ、前記天板を使用位置及び折畳位置の夫々の位置で自動的にロックし保持するロック機構と、
前記支持脚の床面近傍に設けられ、前記ロック機構のロック状態を解除するための足踏みペダルと、
該足踏みペダルの動きを前記ロック機構に伝達するための伝達機構とを有するテーブル。
【請求項２】
請求項１に記載のテーブルにおいて、前記支持脚は中空断面を有し、該中空断面内に前記伝達機構が収納されているテーブル。
【請求項３】
請求項１又は２のいずれかに記載のテーブルにおいて、前記支持脚は、前記天板の奥行き方向と略平行な状態で床面に置かれる脚台と、床面に対して略垂直方向に前記脚台に固定される脚杆とからなり、
前記足踏みペダルは、前記脚台の両端部から前記脚杆までの距離を比較した場合に距離が短いほうの端部と対向する前記脚杆の側面に設けられているテーブル。
【発明の詳細な説明】
【０００１】
【発明の属する技術分野】
この発明は、略水平状態をなす使用位置と起立状態をなす折畳位置の範囲内で回動可能な天板を、使用位置及び折畳位置において夫々保持するためのロック機構を備えてなるテーブルに関する。
【０００２】
【従来の技術】
従来、この種のテーブルとしては特開平７−２３０号公報に記載されたものが知られている。
このテーブルでは、図１０に示すように、支持脚１１０と、略水平状態をなす使用位置と起立状態をなす折畳位置の範囲内で回動可能に支持脚１１０に対して組み付けられる天板１００を有する。このテーブルでは、図示省略したロック機構により天板１１０が使用位置及び折畳位置に夫々保持されるように構成されている。そして、天板１００を使用位置から折畳位置に回動させる場合は、操作部材１２０を押し上げ、ロック状態を解除し天板１１０を起立状態となるまで回転させる。また、天板１００を折畳位置から使用位置に回動させる場合には、操作部材１２０を押し上げ、ロック状態を解除し天板１１０を水平状態となるまで回転させる。
【０００３】
【発明が解決しようとする課題】
しかしながら、図１０に示すテーブルでは、操作部材１２０が天板１００のすぐ下に設けられているため、これを操作しようとする場合には前かがみ状態にならなければならなかった。このため、数多くのテーブルを収納する場合に疲れ易いという問題があった。
【０００４】
したがって、本発明は、上述した問題点を解決するためになされたものであり、その目的は、天板のロック状態を解除する際に、前かがみ状態となることなくロック状態を解除することができるテーブルを提供することを目的とする。
【０００５】
【課題を解決するための手段】
上記目的を達成するために本発明の請求項１に記載のテーブルは、支持脚と、
略水平状態をなす使用位置と起立状態をなす折畳位置の範囲内で、前記支持脚に対して回動可能に組み付けられた天板と、
前記支持脚と前記天板の間に設けられ、前記天板を使用位置及び折畳位置の夫々の位置で自動的にロックし保持するロック機構と、
前記支持脚の床面近傍に設けられ、前記ロック機構のロック状態を解除するための足踏みペダルと、
該足踏みペダルの動きを前記ロック機構に伝達するための伝達機構とを有する。
上記テーブルによれば、足踏みペダルを踏むとその動きが伝達機構によりロック機構に伝達され、ロック状態が解除される。このため、テーブルを使用位置から折畳位置にする場合は、足踏みペダルを踏み、天板のロック状態を解除し、天板を折畳位置まで回転させるだけで良い。また、テーブルを折畳位置から使用位置にする場合にも、足踏みペダルを踏み、天板のロック状態を解除し、天板を使用位置まで回転させるだけで良い。このように上記テーブルでは、天板のロック状態を解除するための操作を床面近傍に設けられた足踏みペダルで行っているので、前かがみ状態にならずにロック状態を解除することができる。また、天板のロック状態を解除する際に足踏みペダルで解除操作を行えば両手が使えるので安全に天板を開閉することができる。
【０００６】
また、請求項２に記載のテーブルは、請求項１に記載のテーブルにおいて、前記支持脚は中空断面を有し、該中空断面内に前記伝達機構が収納される。
上記テーブルによれば、伝達機構が中空断面を有する支持脚の内部に収納されるため、伝達機構に直接外部から力が作用することがなく伝達機構を保護することができる。また、支持脚内部に伝達機構が収納されるので見た目を良くすることができる。
【０００７】
また、請求項３に記載のテーブルは、請求項１又は２のいずれかに記載のテーブルにおいて、前記支持脚は、前記天板の奥行き方向と略平行な状態で床面に置かれる脚台と、床面に対して略垂直方向に前記脚台に固定される脚杆とからなり、
前記足踏みペダルは、前記脚台の両端部から前記脚杆までの距離を比較した場合に距離が短いほうの端部と対向する前記脚杆の側面に設けられている。
上記テーブルによれば、支持脚は、脚台と、脚杆とからなり、脚杆は脚台に組み付け固定されている。そして、脚杆に取付けられる足踏みペダルは、脚台の両端部から脚杆までの距離を比較した場合に距離が短いほうの端部と対向する面に設けられているため、端部から近いほうから足踏みペダルを操作することとなり容易に足踏みペダルを踏むことができる。
【０００８】
【発明の実施の形態】
以下、本発明の一実施の形態に係るテーブルを図１〜９に基づいて説明する。まず、図６に基づいて本発明の実施の形態に係るテーブルの概略構成について説明する。図６は、天板１０を使用位置としたときの正面図を示す。
図６に示すように、テーブルは天板１０と、天板１０の左右両側に取り付けられる脚杆４４を有し、脚杆４４には脚台４６が取付けられている。脚台４６には、キャスター４８が取り付けられ、テーブルを移動可能としている。また、左右の脚杆４４と脚台４６の取付部分近傍には、天板１０のロック状態を解除するための足踏みペダル２３が配設されている。足踏みペダル２３は、左右両側の脚杆４４に設けられ、いずれか一方の足踏みペダルを踏むことにより、テーブルのロック状態を解除できるようになっており、操作性を向上させている。
さらに、テーブルの正面側には幕板１１が取り付けられている。なお、図６には示していないが、左右両側の脚杆４４間には補強のための貫パイプ５２が配設されている（図１参照）。
【０００９】
次に、テーブルの詳細な構成について図１〜図４に基づいて説明する。
図１は、本発明の実施の形態に係るテーブルの構成を分解して示す斜視図であり、図２はテーブルの側面図を示し、図３はテーブルの部分正面図を示し、図４はテーブルの部分平面図を示す図面である。
まず、支持脚を構成する脚杆４４と脚台４６の構成を説明する。
床面に置かれる脚台４６は、断面Ｕ字状の板材からなり、その前端４６ａと後端４６ｂの裏側２箇所にキャスター４８が取り付けられる。キャスター４８は、取付軸に対して回動可能となっており、床面をスムーズに移動可能な構成となっている。
脚台４６の中央より前端４６ａよりには、脚杆４４を取付固定するための取付穴４６ｃが形成されている。脚杆４４は、取付穴４６ｃに嵌挿され、組付けボルト５０ａ、５０ｂを、脚台４６の裏側に固定された取付部材４７を通って脚杆４４に形成したネジ穴に螺着することにより脚台４６に固定されている。
脚杆４４は断面四角形の中空断面を有し、その内部に後述する伝達機構（２１、２４等）を収納するよう構成されている。脚杆４４の上端の外側面には、切り欠き部４４ａが形成され伝達部材２１等の組付けを容易としている。切り欠き部４４ａは、覆い部材４２により覆いがされ、見た目を良くしている。切り欠き部４４ａの反対側の壁面には受け部材４０が固定されている。受け部材４０は、図１に示すように断面Ｌ字状の板材からなり脚杆４４の壁面と一定の間隔を空けて天板受け金具１２への取付面４０ａが形成されている。
【００１０】
次に、上述した脚杆４４と天板受け金具１２の組付けについて図１に基づいて説明する。
脚杆４４の上端に取り付けられた受け部材４０の取付面４０ａには、図１に示すように支軸ピン第1 受け部４０ｂが形成される。また、天板１０に取付け固定される天板受け金具１２の側面１３ｂには、支軸ピン第２受け部１８が形成される。
脚杆４４と天板受け金具１２の組付けは、図１に示すように、上述した受け部材４０の支軸ピン第1 受け部４０ｂと天板受け金具１２の支軸ピン第２受け部１８を同軸に合せ、支軸ピン第1 受け部４０ｂ及び支軸ピン第２受け部１８の両者に支軸ピン１７を差し込んで行われる。支軸ピン１７と天板受け金具１２は回動可能であるので、天板受け金具１２は受け部材４０に対して回動可能となる。したがって、天板受け金具１２と固定されている天板１０は、図２の支軸ピン１７（支軸ピン第２受け部１８）を中心に矢印Ｂの方向に回動可能となる。
【００１１】
次に、図１に基づき天板１０と天板受け金具１２との組付けについて説明する。
天板１０の裏側に取り付けられる天板受け金具１２は、断面Ｌ字状の金具であり、天板１０へ当接される取付面１３ａと、取付面１３ａと略垂直の側面１３ｂとが形成される。取付面１３ａにはネジ穴１２ｂが形成され、ネジをネジ穴１２ｂを通って天板１０にねじ込むことにより、天板受け金具１２が天板１０の裏側に組付け固定される。天板受け金具１２の側面１３ｂの内側には、複数の棚パイプ１２ａが取り付けられ、天板１０の裏側に棚を形成している。
【００１２】
次に、天板１０を折畳位置及び使用位置においてロックするためのロック機構２０の構造について説明する。
天板受け金具１２の側面１３ｂの外側には、ロックピン１６が突出形成され、天板１０が使用位置においては、ロックピン１６は受け部材４０の取付面４０ａに形成したロックピン受け４０ｃに嵌め込まれる。図２に示すように、天板１０が使用位置で保持されている際には、ロックピン１６と第１固定金具２９に形成された係合溝２９ｂは係合し、天板１０が矢印Ｂの方向に回動しないように構成されている。したがって、第１固定金具２９とロックピン１６により天板１０を使用位置において保持するロック機構を構成する。
また、天板受け金具１２の側面１３ｂの内側には第１回動軸１４が形成され、第１回動軸１４には天板１０を起立状態で保持するための第２固定金具３０が、第１回動軸１４に対して回動可能に組付けナット３２により取り付けられている。また、第２固定金具３０は、図示省略したばねにより図２の矢印Ａの方向に付勢されている。図５及び図８に示すように、天板１０が折畳位置において保持されている際には、第２固定金具３０と連結杆２７が係合し、天板１０が回動しないようになっている。したがって、第２固定金具３０と連結杆２７により天板１０を折畳位置において保持するロック機構を構成する。
【００１３】
次に、天板１０を使用位置及び折畳位置に保持するためのロック機構に足踏みペダル２３の動きを伝達するための伝達機構について説明する。
伝達機構は、図１に示すように脚杆４４と脚台４６の取付け部近傍に設けられた足踏みペダル２３の動きを伝達する。足踏みペダル２３は、図３に示すように脚杆４４と略同一の幅を有し、かつ、脚杆４４の外側にはみ出さないように形成されている。これは、足踏みペダル２３がはみ出していると人がこの足踏みペダル２３で足を打つ場合等が起こり得るためである。
また、足踏みペダル２３は、図２に示すように脚台４６の前端４６ａ側から操作できるような向きに形成され、かつ、脚台４６の前端４６ａから前端４６ａと対向する脚杆４４の側面までの距離と、脚台４６の後端４６ｂから後端４６ｂと対向する脚杆４４の側面までの距離とを比較した場合に、前者の方が距離が短く構成されている。すなわち、本実施の形態に係るテーブルは、足踏みペダル２３が脚杆４４の踏みやすい方の位置に形成されている。また、図２に示すように天板１０の回転方向は矢印Ｂの方向であるので、足踏みペダル２３を踏んだ操作者が天板１０を回転する際の回転の障害となることはない。
なお、足踏みペダル２３は操作部材受け２２に取付けられ、操作部材受け２２は足踏みペダル２３と一体となって動くようになっている。この操作部材受け２２と、取付部材４７間には図示省略したバネが介装され、足踏みペダル２３を上方向に付勢している。
【００１４】
操作部材受け２２は、一部が脚杆４４の中空断面内に挿入され、棒状の伝達部材２１に固定されている。この伝達部材２１は、脚杆４４の中空断面内に収納されている。
伝達部材２１は、図１及び図２に示すように、リンク部材２４にヒンジ２４ａにて回動可能に取付けられる。また、リンク部材２４には、断面四角形状の固定ピン受け２４ｂが形成され、固定ピン受け２４ｂに固定ピン２５が固定される。固定ピン２５は、図１に示すように、脚杆４４及び受け部材４０を通って受け部材４０の内側に突出する。
このように伝達部材２１等を脚杆４４内に収納したのは、天板１０が折畳位置に保持された状態でテーブルを移動する際等に、伝達部材２１等が壁や物に衝突し破損する場合があるためである。したがって、脚杆４４は、伝達部材２１等の伝達機構を保護する役割を果たす。また、このように脚杆４４内に伝達部材２１等を収納することで見た目も良くしている。
【００１５】
図３及び図４に示されるように受け部材４０の取付面４０ａと、脚杆４４との間に形成される空間には、第１固定金具２９が配設される。第１固定金具２９には、固定ピン２５が挿通される固定ピン受け２９ａが形成され、固定ピン受け２９ａを通って固定ピン２５が取付面４０ａの内側に突出している。固定ピン受け２９ａは、固定ピン２５の断面形状と同一の四角形の断面を有するため、第１固定金具２９は固定ピン２５が回転すると固定ピン２５と一体となって回転することとなる。なお、固定ピン２５が挿通する脚杆４４に形成される挿通孔（図示省略）は、固定ピン２５が回転することを妨げないような形状を有する。例えば、直径が固定ピン２５の対角線よりも長い円形の挿通孔が形成される。
取付面４０ａの内側に突出した固定ピン２５は、図１に示すように連結部材２６を介して連結杆２７に固定され、固定ピン２５の回転にあわせて、連結杆２７は回転する。なお、連結杆２７には、折畳位置で保持されている天板のロック状態を解除するための解除部材２８が取付けられている。なお、固定ピン２５が挿通する取付面４０ａに形成される挿通孔（図示省略）は、固定ピン２５が回転することを妨げないような形状を有する点は脚杆４４に形成される挿通孔と同様である。
したがって、足踏みペダル２３が踏み込まれて下に動くと、その動きにより伝達部材２１が下に動き、リンク部材２４が固定ピン受け２４ｂを中心に回転する。リンク部材２４が回転すると、その回転にあわせて固定ピン２５、第１固定金具２９、及び連結杆２７が回転することとなる。すなわち、本実施形態における伝達機構は、操作部材受け２２、伝達部材２１、リンク部材２４、固定ピン２５により構成される。
なお、連結杆２７は、左右両側に形成される伝達機構のロックピン２５と結合しており、他方のロック機構を解除するともう一方のロック機構も解除されることとなる。すなわち、連結手段である連結杆２７によりいずれか一方の足踏みペダル２３を踏むことにより、テーブルのロック状態を解除できるようになっており、操作性を向上させている。
【００１６】
次に、上述したように構成されるテーブルを使用位置から折畳位置へ変える場合について、図７、図８に基づいて説明する。図７は天板１０が使用位置におけるロック機構の拡大図である。図８は、天板１０が折畳位置におけるロック機構の拡大図である。
図７に示すように、天板１０は使用位置において保持されているときは、天板受け金具１２に突出成形されたロックピン１６と第１固定金具２９は係合し、天板１０が回動しない様になっている。このような状態で、足踏みペダル２３を踏み込むと、上述したように操作部材受け２２が足踏みペダル２３と一体となって下に動き、それにあわせて伝達部材２１も矢印Ｃの方向に動く。伝達部材２１が矢印Ｃの方向に動くと、リンク部材２４は支点Ｄを中心に矢印Ｅの方向に回転する。そして、リンク部材２４が上述したように回転するため、第１固定金具２９も矢印Ｆの方向に回転し係合溝２９ｂとロックピン１６の係合が外れる。しかる後、天板１０を回転させる。なお、天板１０を使用位置からある程度回転させれば、足踏みペダル２３を踏み続ける必要はない。
天板１０が回転し折畳位置（図８参照）にくると、第２固定金具３０は図８に示す矢印Ｇの方向に付勢されているため、第２固定金具３０の係合面３０ａと連結杆２７が自動的に係合し天板１０が折畳位置において保持される。なお、天板１０が使用位置から折畳位置への回転中は、連結杆２７は第２固定金具３０の接触面３０ｂ上を滑りながら折畳位置である図８の連結杆２７の位置に動く。これは、第２固定金具３０が図８の矢印Ｇ方向に付勢されているため、常に連結杆２７と第２固定金具３０が接触を保つためである。
なお、図２及び図５に示すように、幕板１１は連結棒６０ａ、６０ｂにヒンジ着されており、天板１０が使用位置から折畳位置へ回転する間、連結棒６０ａと天板１０の連結点を中心に回転し、図２の状態から図５の状態となる。
【００１７】
次に、天板１０を折畳状態から使用位置へ変える場合について、図７〜図９に基づいて説明する。図９は、天板１０が折畳位置においてロック機構のロック状態が解除されたときの拡大図である。
天板１０が折畳位置においてロックされている図８の状態において、足踏みペダル２３を踏み込むと、伝達部材２１が下に動き、連結杆２７が回転するのは上述してきた通りである。連結杆２７が回転すると、連結杆２７に取付け固定された解除部材２８が第２固定金具３０と接触し、ばねの付勢力に抗して第２固定金具３０を図９の矢印Ｈの方向に動かす。このため、第２固定金具３０と連結杆２７の係合が外れ、天板１０が回動可能となる。なお、天板１０が折畳位置からある程度回転させれば、足踏みペダル２３を踏み続ける必要がないのは上述した場合と同様である。
天板１０が回転し使用位置（図７参照）に近づくと、第１固定金具２９の接触面２９ｃとロックピン１６が接触する。ここで、第１固定金具２９の接触面２９ｃは、図７に示すようにテーブルの側面から見て円弧状に形成されているため、接触面２９ｃとロックピン１６が接触したまま天板１０を使用位置まで回転させると、第１固定金具２９は図７の矢印Ｆの方向に回転する。天板１０が使用位置にくると、操作部材受け２２と取付部材４７の間に介装されたバネの反発力により第１固定金具２９は再び図７に示す位置に戻りロックピン１６と第１固定金具２９が係合し、天板１０が使用位置においてロックされる。
【００１８】
このように、本実施形態では、使用位置及び折畳位置において、天板１０のロック状態を解除する動作を、ロックピン２５に取付固定した第１固定金具２９及び連結杆２７を夫々回転させることにより行う。すなわち、本実施形態においては、一つの回転部材（ロックピン２５）に二つの係合部材（第１固定金具２９や連結杆２７）を取付固定し、回転軸の回転にあわせて両係合部材を回転させロック状態を解除している。したがって、同一の伝達機構で使用位置及び折畳位置における天板１０のロック状態が解除でき、使用位置及び折畳位置の夫々に別々のロック状態を解除するための操作部材及び伝達機構を形成する必要がない。
【００１９】
以上説明したように、本実施の形態に係るテーブルでは、天板１０を使用位置から折畳位置に変える場合、または、その逆の場合には、脚杆４４の床面近傍に設けた足踏みペダル２３を踏み込むだけで天板１０のロック状態が解除され天板１０を回転することができる。したがって、立ったままで操作できるため、従来のテーブルと異なり前かがみ状態になる必要がない。また、前かがみ状態とならないため、数多くのテーブルを収納する場合や、セッティングする場合にも疲れ難い。
また、上述したテーブルでは、伝達部材２１、リンク部材２４等の伝達機構が脚杆４４の内部に収納され外部からの衝撃から保護されているので、足踏みペダル２３の動きをロック機構に伝達するための伝達機構が壊れることが少ない。また、見た目を良くすることができる。
また、上述したテーブルでは、脚台４６の両端部から近い方の位置に足踏みペダル２３が取付けられ、かつ、近いほうから足踏みペダル２３を踏み込めるように構成されているので、足踏みペダル２３を容易に踏み込むことができる。
さらに、足踏みペダル２３は、脚杆４４の幅内で形成されているため、テーブル近辺を歩く人が足踏みペダル２３に足をぶつけることがない。
【００２０】
なお、上述した実施の形態に係るテーブルにおいては、足踏みペダル２３を脚杆４４の下端に設けたが、本発明はこれに限るものではなく、足踏みペダル２３は床面の近傍、すなわち、足で操作できる範囲内であればどこに配置されてもよい。
また、上述した実施の形態に係るテーブルにおいては、足踏みペダル２３の動きをロック機構に伝達する機構として、リンク機構を採用したが、これに限るものではなく、上述の実施形態の伝達部材２１をラックとし、固定ピン２５をこのラックと係合するピニオンとして構成することができる。ただし、本実施形態のようにリンク機構とした場合には、ラックとピニオンによる伝達機構と異なり、伝達機構に歯車を形成する必要がなく、簡単な機構で構成することができる。
さらに、本実施形態では天板１０と脚杆４４をロックする機構として、使用位置においては天板１０に対して固定された部材（ロックピン１６）に、脚杆４４に対して回動する係合部材（第１固定金具２９）を係合させ、折畳位置においては天板１０に対して回動する係合部材（第２固定金具３０）と、脚杆４４に対してその位置が変化しない部材（連結杆２７）に係合させることとした。しかしながら本発明は、これに限るものではなく、例えば、使用位置及び折畳位置の両位置において、２種類の係合部材を脚杆４４に対して回転させ、天板１０に対して固定された固定部材に係合するような構成とすることができる。
【００２１】
【発明の効果】
以上説明したように、本発明によれば、天板のロック状態を解除するための操作部材である足踏みペダルを床面近傍の支持脚に設けているため、従来のこの種のテーブルと異なり、立った状態でロック状態を解除でき使用位置から折畳位置、折畳位置から使用位置の双方の変換が立ったまま行える。
【図面の簡単な説明】
【図１】本発明の実施の形態に係るテーブルの構成を分解して示す斜視図である。
【図２】使用位置における本発明の実施の形態に係るテーブルの側面図である。
【図３】使用位置における本発明の実施の形態に係るテーブルの正面図である。
【図４】使用位置における本発明の実施の形態に係るテーブルの平面図である。
【図５】折畳位置における本発明の実施の形態に係るテーブルの側面図である。
【図６】本発明の実施の形態に係るテーブルの概略構成を示す正面図である。
【図７】使用位置におけるロック状態の、ロック機構の部分拡大図である。
【図８】折畳位置におけるロック状態の、ロック機構の部分拡大図である。
【図９】折畳位置におけるロック状態が解除された状態の、ロック機構の部分拡大図である。
【図１０】従来のテーブルの概略構成を示す図面である。
【符号の説明】
１０・・天板
１２・・天板受け金具
１４・・第１回動軸
１６・・ロックピン
２４・・リンク部材
２９・・第１固定金具
３０・・第２固定金具
４４・・脚杆
４６・・脚台
【図１】
0004176212.tif 000002
【図２】
0004176212.tif 000003
【図３】
0004176212.tif 000004
【図４】
0004176212.tif 000005
【図５】
0004176212.tif 000006
【図６】
0004176212.tif 000007
【図７】
0004176212.tif 000008
【図８】
0004176212.tif 000009
【図９】
0004176212.tif 000010
【図１０】
0004176212.tif 000011